【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１のチャネル上でスケジューリングメッセージを受信することと、前記スケジューリングメッセージは、前記第１のチャネルについての第１のアップリンク（ＵＬ）グラントおよび第２のチャネルについての第２のアップリンク（ＵＬ）グラントを備え、
前記第１のチャネル上で前記スケジューリングメッセージを受信することに少なくとも部分的に基づいて、前記第１のチャネルに対して第１のチャネルクリアランスプロシージャを実行することと、および
前記スケジューリングメッセージが前記第２のチャネル上で受信されていないと決定することに少なくとも部分的に基づいて、前記第１のチャネルクリアランスプロシージャとは異なる、前記第２のチャネルに対する第２のチャネルクリアランスプロシージャを実行することと
を備える方法。
【請求項２】
前記第１のチャネルクリアランスプロシージャを実行することは、単一の空きチャネル判定（ＣＣＡ）チェックを実行することと、および
前記単一のＣＣＡチェックが不成功であった場合、拡張されたＣＣＡ（ｅＣＣＡ）チェックを実行することと
を備える、請求項１に記載の方法。
【請求項３】
前記単一のＣＣＡチェックを実行することは、単一のＣＣＡに少なくとも部分的に基づいて、前記第１のチャネルが空いているかどうかを決定することを備える、請求項２に記載の方法。
【請求項４】
前記第１のチャネルクリアランスプロシージャに少なくとも部分的に基づいて、前記第１のチャネル上でアップリンク（ＵＬ）データを送信すること
をさらに備える、請求項２に記載の方法。
【請求項５】
前記第２のチャネルクリアランスプロシージャを実行することは、ｅＣＣＡチェックを実行することを備える、請求項１に記載の方法。
【請求項６】
前記第２のチャネルクリアランスプロシージャを実行することは、単一のＣＣＡチェックでは、前記第２のチャネルへのアクセスを得るのに十分ではないと決定することを備える、請求項５に記載の方法。
【請求項７】
前記第２のチャネルクリアランスプロシージャに少なくとも部分的に基づいて、前記第２のチャネル上でＵＬデータを送信すること、ここにおいて、前記送信されたＵＬデータは、前記第１のチャネル、前記第２のチャネル、または両方が使用されているかどうかのインジケーション(indication)を備える、
をさらに備える、請求項５に記載の方法。
【請求項８】
前記スケジューリングメッセージは、前記第１のチャネルについての第１のＵＬグラントおよび前記第２のチャネルについての第２のＵＬグラントを備える、請求項１に記載の方法。
【請求項９】
前記第１のＵＬグラントの第１の変調およびコーディングスキーム（ＭＣＳ）は、前記第２のＵＬグラントの第２のＭＣＳとは異なる、請求項８に記載の方法。
【請求項１０】
ワイヤレス通信の方法であって、
第１のチャネルに対する第１のｅＣＣＡチェックが成功でありかつ第２のチャネルに対する第２のｅＣＣＡチェックが不成功であることを決定することと、
前記第２のチャネルに対する後続のＣＣＡが成功したと決定することと、および
前記決定に少なくとも部分的に基づいて、前記第１のチャネル上でスケジューリングメッセージを送信することと、前記スケジューリングメッセージは、前記第１のチャネルおよび前記第２のチャネルを識別する、
を備える方法。
【請求項１１】
ワイヤレス通信のための装置であって、
第１のチャネル上でスケジューリングメッセージを受信するための手段と、前記スケジューリングメッセージは、前記第１のチャネルについての第１のアップリンク（ＵＬ）グラントおよび第２のチャネルについての第２のアップリンク（ＵＬ）グラントを備え、
前記第１のチャネル上で前記スケジューリングメッセージを受信することに少なくとも部分的に基づいて、前記第１のチャネルに対して第１のチャネルクリアランスプロシージャを実行するための手段と、および
前記スケジューリングメッセージが前記第２のチャネル上で受信されていないと決定することに少なくとも部分的に基づいて、前記第１のチャネルクリアランスプロシージャとは異なる、前記第２のチャネルに対する第２のチャネルクリアランスプロシージャを実行するための手段と
を備える装置。
【請求項１２】
前記第１のチャネルクリアランスプロシージャを実行するための前記手段は、単一の空きチャネル判定（ＣＣＡ）チェックを実行することと、および
前記単一のＣＣＡチェックが不成功であった場合、拡張されたＣＣＡ（ｅＣＣＡ）チェックを実行することとのための手段を備える、請求項１１に記載の装置。
【請求項１３】
前記単一のＣＣＡチェックを実行するための前記手段は、単一のＣＣＡに少なくとも部分的に基づいて、前記第１のチャネルが空いているかどうかを決定するための手段を備える、請求項１２に記載の装置。
【請求項１４】
前記第１のチャネルクリアランスプロシージャに少なくとも部分的に基づいて、前記第１のチャネル上でアップリンク（ＵＬ）データを送信するための手段
をさらに備える、請求項１２に記載の装置。
【請求項１５】
ワイヤレス通信のための装置であって、
第１のチャネルに対する第１のｅＣＣＡチェックが成功でありかつ第２のチャネルに対する第２のｅＣＣＡチェックが不成功であることを決定するための手段と、
前記第２のチャネルに対する後続のＣＣＡが成功したと決定するための手段と、および
前記決定に少なくとも部分的に基づいて、前記第１のチャネル上でスケジューリングメッセージを送信するための手段と、前記スケジューリングメッセージは、前記第１のチャネルおよび前記第２のチャネルを識別する、
を備える装置。
【手続補正２】
【補正対象書類名】明細書
【補正対象項目名】０１４０
【補正方法】変更
【補正の内容】
【０１４０】
[0148]添付された図面では、同様のコンポーネントまたは特徴は、同じ参照ラベルを有し得る。さらに、同じタイプの様々なコンポーネントは、参照ラベルの後に、ダッシュと、同様の構コンポーネント同士を区別する第２のラベルとを続けることによって区別され得る。第１の参照ラベルのみが本明細書において使用される場合、その説明は、第２の参照ラベルにかかわらず、同じ第１の参照ラベルを有する同様のコンポーネントのうちの任意の１つに適用可能である。
以下に本願の出願当初の特許請求の範囲に記載された発明を付記する。
［Ｃ１］
ワイヤレス通信の方法であって、
第１のチャネル上でスケジューリングメッセージを受信することと、前記スケジューリングメッセージは、前記第１のチャネルおよび第２のチャネルを識別し、
前記第１のチャネル上で前記スケジューリングメッセージを受信することに少なくとも部分的に基づいて、前記第１のチャネルに対して第１のチャネルクリアランスプロシージャを実行することと、および
前記スケジューリングメッセージが前記第２のチャネル上で受信されていないと決定することに少なくとも部分的に基づいて、前記第２のチャネルに対して第２のチャネルクリアランスプロシージャを実行することと
を備える方法。
［Ｃ２］
前記第１のチャネルクリアランスプロシージャを実行することは、単一の空きチャネル判定（ＣＣＡ）チェックを実行することと、および  前記単一のＣＣＡチェックが不成功であった場合、拡張されたＣＣＡ（ｅＣＣＡ）チェックを実行することとを備える、Ｃ１に記載の方法。
［Ｃ３］
前記単一のＣＣＡチェックを実行することは、単一のＣＣＡに少なくとも部分的に基づいて、前記第１のチャネルが空いているかどうかを決定することを備える、Ｃ２に記載の方法。
［Ｃ４］
前記第１のチャネルクリアランスプロシージャに少なくとも部分的に基づいて、前記第１のチャネル上でアップリンク（ＵＬ）データを送信すること
をさらに備える、Ｃ２に記載の方法。
［Ｃ５］
前記第２のチャネルクリアランスプロシージャを実行することは、ｅＣＣＡチェックを実行することを備える、Ｃ１に記載の方法。
［Ｃ６］
前記第２のチャネルクリアランスプロシージャを実行することは、単一のＣＣＡチェックでは、前記第２のチャネルへのアクセスを得るのに十分ではないと決定することを備える、Ｃ５に記載の方法。
［Ｃ７］
前記第２のチャネルクリアランスプロシージャに少なくとも部分的に基づいて、前記第２のチャネル上でＵＬデータを送信すること、ここにおいて、前記送信されたＵＬデータは、前記第１のチャネル、前記第２のチャネル、または両方が使用されているかどうかのインジケーション(indication)を備える、
をさらに備える、Ｃ５に記載の方法。
［Ｃ８］
前記スケジューリングメッセージは、前記第１のチャネルについての第１のＵＬグラントおよび前記第２のチャネルについての第２のＵＬグラントを備える、Ｃ１に記載の方法。
［Ｃ９］
前記第１のＵＬグラントの第１の変調およびコーディングスキーム（ＭＣＳ）は、前記第２のＵＬグラントの第２のＭＣＳとは異なる、Ｃ８に記載の方法。
［Ｃ１０］
ワイヤレス通信の方法であって、
第１のチャネルに対する第１のｅＣＣＡチェックが成功でありかつ第２のチャネルに対する第２のｅＣＣＡチェックが不成功であることを決定することと、および
前記決定に少なくとも部分的に基づいて、前記第１のチャネル上でスケジューリングメッセージを送信することと、前記スケジューリングメッセージは、前記第１のチャネルおよび前記第２のチャネルを識別する、
を備える方法。
［Ｃ１１］
前記第２のｅＣＣＡチェックに少なくとも部分的に基づいて、前記第２のチャネル上で前記スケジューリングメッセージを送信することを控えること
をさらに備える、Ｃ１０に記載の方法。
［Ｃ１２］
ＵＬデータが前記第１のチャネルまたは前記第２のチャネルまたは両方の上で送信されているかどうかを識別することと、および
前記スケジューリングメッセージに少なくとも部分的に基づいて、前記第１のチャネルまたは前記第２のチャネル上で前記ＵＬデータを受信することと
をさらに備える、Ｃ１０に記載の方法。
［Ｃ１３］
前記スケジューリングメッセージは、前記第１のチャネルについての第１のＵＬグラントおよび前記第２のチャネルについての第２のＵＬグラントを備える、Ｃ１０に記載の方法。
［Ｃ１４］
前記第１のＵＬグラントの第１のＭＣＳは、前記第２のＵＬグラントの第２のＭＣＳとは異なる、Ｃ１３に記載の方法。
［Ｃ１５］
ワイヤレス通信のための装置であって、
第１のチャネル上でスケジューリングメッセージを受信するための手段と、前記スケジューリングメッセージは、前記第１のチャネルおよび第２のチャネルを識別し、
前記第１のチャネル上で前記スケジューリングメッセージを受信することに少なくとも部分的に基づいて、前記第１のチャネルに対して第１のチャネルクリアランスプロシージャを実行するための手段と、および
前記スケジューリングメッセージが前記第２のチャネル上で受信されていないと決定することに少なくとも部分的に基づいて、前記第２のチャネルに対して第２のチャネルクリアランスプロシージャを実行するための手段と
を備える装置。
［Ｃ１６］
前記第１のチャネルクリアランスプロシージャを実行するための前記手段は、単一の空きチャネル判定（ＣＣＡ）チェックを実行することと、および  前記単一のＣＣＡチェックが不成功であった場合、拡張されたＣＣＡ（ｅＣＣＡ）チェックを実行することとのための手段を備える、Ｃ１５に記載の装置。
［Ｃ１７］
前記単一のＣＣＡチェックを実行するための前記手段は、単一のＣＣＡに少なくとも部分的に基づいて、前記第１のチャネルが空いているかどうかを決定するための手段を備える、Ｃ１６に記載の装置。
［Ｃ１８］
前記第１のチャネルクリアランスプロシージャに少なくとも部分的に基づいて、前記第１のチャネル上でアップリンク（ＵＬ）データを送信するための手段
をさらに備える、Ｃ１６に記載の装置。
［Ｃ１９］
前記第２のチャネルクリアランスプロシージャを実行するための前記手段は、ｅＣＣＡチェックを実行するための手段を備える、Ｃ１５に記載の装置。
［Ｃ２０］
前記第２のチャネルクリアランスプロシージャを実行するための前記手段は、単一のＣＣＡチェックでは、前記第２のチャネルへのアクセスを得るのに十分ではないと決定するための手段を備える、Ｃ１９に記載の装置。
［Ｃ２１］
前記第２のチャネルクリアランスプロシージャに少なくとも部分的に基づいて、前記第２のチャネル上でＵＬデータを送信するための手段、ここにおいて、前記送信されたＵＬデータは、前記第１のチャネル、前記第２のチャネル、または両方が使用されているかどうかのインジケーションを備える、
をさらに備える、Ｃ１９に記載の装置。
［Ｃ２２］
前記スケジューリングメッセージは、前記第１のチャネルについての第１のＵＬグラントおよび前記第２のチャネルについての第２のＵＬグラントを備える、Ｃ１５に記載の装置。
［Ｃ２３］
前記第１のＵＬグラントの第１の変調およびコーディングスキーム（ＭＣＳ）は、前記第２のＵＬグラントの第２のＭＣＳとは異なる、Ｃ２２に記載の装置。
［Ｃ２４］
ワイヤレス通信のための装置であって、
第１のチャネルに対する第１のｅＣＣＡチェックが成功でありかつ第２のチャネルに対する第２のｅＣＣＡチェックが不成功であることを決定するための手段と、および
前記決定に少なくとも部分的に基づいて、前記第１のチャネル上でスケジューリングメッセージを送信するための手段と、前記スケジューリングメッセージは、前記第１のチャネルおよび前記第２のチャネルを識別する、
を備える装置。
［Ｃ２５］
前記第２のｅＣＣＡチェックに少なくとも部分的に基づいて、前記第２のチャネル上で前記スケジューリングメッセージを送信することを控えるための手段
をさらに備える、Ｃ２４に記載の装置。
［Ｃ２６］
ＵＬデータが前記第１のチャネルまたは前記第２のチャネルまたは両方の上で送信されているかどうかを識別するための手段と、
前記スケジューリングメッセージに少なくとも部分的に基づいて、前記第１のチャネルまたは前記第２のチャネル上で前記ＵＬデータを受信するための手段と
をさらに備える、Ｃ２４に記載の装置。
［Ｃ２７］
前記スケジューリングメッセージは、前記第１のチャネルについての第１のＵＬグラントおよび前記第２のチャネルについての第２のＵＬグラントを備える、Ｃ２４に記載の装置。
［Ｃ２８］
前記第１のＵＬグラントの第１のＭＣＳは、前記第２のＵＬグラントの第２のＭＣＳとは異なる、Ｃ２７に記載の装置。